(57)【特許請求の範囲】
【請求項１】
天板の長手方向に沿って設けられたレールの一側面に接触する第１接合部を備えたブロックと、
前記ブロックに取付けられ、前記ブロックに対して移動可能で、かつ前記レールと接触することにより前記ブロックを前記レールに固定する第２接合部を有するロック機構と、を備え、
前記ロック機構は、前記第２接合部を有し前記ブロックに設けられた回転軸を中心として回動可能に構成された保持板と、
前記第２接合部が前記レールに接触した状態で前記保持板を固定する固定部材と、
前記固定部材が前記保持板を固定する位置に移動するように前記固定部材を付勢するバネ部材と、を備え、
前記固定を解除した時に前記ブロックを前記寝台の短手方向に沿って取外し可能なことを特徴とする寝台用の着脱装置。
【請求項２】
前記固定部材は、前記保持板に対してスライド可能に取付けられ、このスライドに伴い前記固定を解除するものであることを特徴とする請求項１記載の寝台用の着脱装置。
【請求項３】
前記固定部材は、前記ブロックに接触することにより前記回動を抑制する凸部を有すると共に、この凸部を前記スライドに伴って移動することにより前記固定を解除するものであることを特徴とする請求項２記載の寝台用の着脱装置。
【請求項４】
前記第１接合部と第２接合部には滑り止めが設けられていることを特徴とする請求項１乃至請求項３のいずれか一項記載の寝台用の着脱装置。
【請求項５】
前記ブロックの一側面には、操作者が把持するハンドルが立設されていることを特徴とする請求項１乃至請求項４のいずれか一項記載の寝台用の着脱装置。
【請求項６】
前記固定部材は、前記ブロックの下側に設けられていることを特徴とする請求項１記載の寝台用の着脱装置。
【請求項７】
前記請求項１乃至６のいずれか一項記載の寝台用の着脱装置を備えた医療用診断装置。
【発明の詳細な説明】
【０００１】
【発明の属する技術分野】
本発明は、医療用寝台に装着される天板操作ハンドスイッチ、テーブルサイドコンソール、点滴台等に用いられる寝台の着脱装置に関するものである。
【０００２】
【従来の技術】
周知のように、循環器Ｘ線診断装置等の医療用診断装置では、被検者が載置される寝台の天板の位置を移動させることによって診断のための位置決めを行っている。この天板の移動は、図６に示すように寝台１００の上部の天板１１０の長手方向（図中Ａ方向）の側面に設けられたレール１３０に半固定されている天板操作ハンドスイッチ１５０を用いて行われている。
【０００３】
図７に従来の天板操作ハンドスイッチ１５０の概略的な構成を示す。図７に示すように、従来の天板操作ハンドスイッチ１５０は、天板１１０の側面に設けられたレール１３０に摺動可能に嵌合される断面略Ｃ字型の本体ブロック１５１と、この本体ブロック１５１の側面に設けられ、レール１３０にねじを押し当てることにより本体ブロック１５１をレール１３０に固定するねじ付きノブ１５３と、本体ブロック１５１の側面から天板１１０の短手方向（図中Ｂ方向）に立設されたハンドル１５５と、ハンドル１５５の下部に設けられ、天板１１０を固定している電磁ブレーキ等の天板固定ブレーキを解除する天板固定ブレーキ解除スイッチ１５７とを具備している。
【０００４】
この天板操作ハンドスイッチ１５０をレール１３０に固定する場合、まず、ねじ付きノブ１５３を緩めた状態で本体ブロック１５１をレール１３０に挿入する。その後、本体ブロック１５１を所定の位置までスライドさせてねじ付きノブ１５３を締め付けて本体ブロック１５１をレール１３０に固定する。そして操作者は、天板固定ブレーキ解除スイッチ１５７を押して天板固定ブレーキを解除し、ハンドル１５５を用いて所定の位置に天板１１０を移動させている。
【０００５】
【発明が解決しようとする課題】
天板操作ハンドスイッチ１５０は、天板１１０への被検者の乗り降り、またはストレッチャを近づけたとき邪魔になるため、しばしばレール１３０から取り外す必要が生じる。しかしながら、従来の天板操作ハンドスイッチ１５０を取り外すためには、ねじ付きノブ１５３を緩め、本体ブロック１５１をレール１３０に沿ってレール１３０端部までスライドさせてそこから抜き取らなければならず非常に面倒であった。また、さらに取り外しだけでなく取り付けも同様に面倒で手間が掛かっていた。
また、天板操作ハンドスイッチ１５０取り付け時には、十分にねじ付きノブ１５３を締め付けないと、天板１１０の位置合わせ操作を行うときに本体ブロック１５１とレール１３０が滑ってしまう虞があった。
本発明は、上記課題に鑑みてなされたもので、寝台への着脱の操作性を向上させることが可能な着脱装置を提供することを目的とする。
【０００６】
【課題を解決するための手段】
上記目的を達成するため本願第１の発明は、
天板の長手方向に沿って設けられたレールの一側面に接触する第１接合部を備えたブロックと、
前記ブロックに取付けられ、前記ブロックに対して移動可能で、かつ前記レールと接触することにより前記ブロックを前記レールに固定する第２接合部を有するロック機構と、を備え、
前記ロック機構は、前記第２接合部を有し前記ブロックに設けられた回転軸を中心として回動可能に構成された保持板と、
前記第２接合部が前記レールに接触した状態で前記保持板を固定する固定部材と、
前記固定部材が前記保持板を固定する位置に移動するように前記固定部材を付勢するバネ部材と、を備え、
前記固定を解除した時に前記ブロックを前記寝台の短手方向に沿って取外し可能なことを特徴とする。
【０００７】
この構成により、ブロックは第１接合部で天板の長手方向に沿って設けられたレールの一側面に接触し、また当該ブロックに対して移動可能に構成されると共に前記レールと接触することにより当該ブロックを前記レールに固定する第２接合部を有するロック機構を備える。これらブロック及びロック機構は、固定を解除したときに当該ブロックを寝台の短手方向に沿って取外し可能であり、これにより前記第１の接合部と第２の接合部とが離間してレールと非接合になることを防止しつつ前記レールに取り付けることができる。
【０００９】
【発明の実施の形態】
以下、本発明に係る一例を図面を参照して説明する。図１は本発明に係る寝台用着脱装置を用いた天板操作ハンドスイッチを示した図である。尚、本例の天板操作ハンドスイッチが装着される寝台は、図５及び図６に示したものと同一であるので、同一の記号を付して詳細な説明を省略した。
【００１０】
図１に示すように、本実施の形態例の天板操作ハンドスイッチ１は、レール１３０の上面に接合する接合部３を一方の側面側に備える筐体５と、レール１３０の下面と接合する接合部７を上面に備え、筐体（ブロック）５に設けられた回転軸を中心にしてレール１３０の長手方向（図中、Ａ方向）と直交する方向に回動可能に設置された保持板９と、保持板９の接合部７と対向する面に摺動可能に設けられ、レール１３０と対向する側の上面から立設された開口ストッパ１１ａを備えた断面Ｌ字型の固定板１１とを具備し、接合部３と接合部７がレール１３０と接合する状態にあるとき、開口ストッパ１１ａを筐体５のレール１３０と対向する側の下面と接合させ、保持板９を回動不能にさせることによりレール１３０に固定される。なお、保持板９と固定板１１はロック機構を構成するものである。
【００１１】
次に図２を用いて筐体５の構成を詳細に説明する。
図２に示すように筐体５の上面には挿通孔２１が設けられており、この挿通孔２１には略円柱状のハンドル２３が挿入されている。このハンドル２３の下端には皿状のばね支持部材２５が設けられ、上端には略半球状の把持部２７が設けられている。また、ばね支持部材２５と保持板９の間にはコイルばね２９が設けられている。このためハンドル２３は、ばね支持部材２５の下方に突設された案内ピン３１に案内されてコイルばね２９により常に上方に付勢されている。さらにコイルばね２９により保持板９は常にレール１３０と接合するように付勢されている。尚、ハンドル２３を下方に押すことにより、天板１１０を固定している電磁ブレーキ等の天板固定ブレーキが解除される。また筐体５の接合部３は、レール１３０の上面を把持するように爪３ａが設けられている。さらに接合部３のレール１３０との接合面にはゴム等の滑り止め３３が設けられ、接合部３のレール１３０上での滑りを防止している。
【００１２】
次に、ロック機構を図３と図４を用いて詳細に説明する。尚、図３は保持板９と固定板１１を下方から見た図であり、図４は保持板９と固定板１１を上方から見た図である。
図３に示すように保持板９の下面には、固定板１１が摺動可能に挿入される溝４１が設けられている。また保持板９の両側面には、内側に向けて穴４３がそれぞれ設けられている。さらに筐体５の側面にもこの穴４３と対応させて貫通孔５ａが設けられており（図１参照）、貫通孔５ａと穴４３にはピン４５が挿入される。このため保持板９は、ピン４５を回転軸にして回動させることができる。さらに保持板９の両側面には、溝４１まで貫通する貫通孔４７がそれぞれ二つづつ設けられている。この貫通孔４７にはピン４９が挿入される。さらに保持板９の溝４１には、上面側まで貫通した貫通孔５１が二つ設けられている。この貫通孔５１には、レール１３０の長手方向と直行する方向に伸縮するコイルばね５３がに挿入される（図４参照）。尚、保持板９の接合部７は、レール１３０の下面を固定するように爪９ａが設けられている。また接合部７のレール１３０との接合面にはゴム等の滑り止め５５が設けられ、接合部７のレール１３０上での滑りを防止している。
【００１３】
固定板１１の両側面には、保持板９に設けられたピン４５が挿入されるガイド溝６１がそれぞれ設けられている。このため、固定板１１は、保持板９の貫通孔４７に挿入されたピン４９に案内されて保持板９の溝４１内を摺動できる。さらに、固定板１１の上面には、保持板９に設けられた二つの貫通孔５１のレール１３０側に挿入される二つのばね受け６３が立設されている（図４参照）。このため、固定板１１をレール１３０から離す方向、すなわち天板１１０の短手方向（図中Ｂ方向）に摺動すると貫通孔５１に挿入されているコイルばね５３により固定板１１には元の位置に戻ろうとする力が掛かる。また、固定板１１の下面には指が挿入できる指挿入溝６５が設けられている。
【００１４】
次に、天板操作ハンドスイッチ１の組み立て手順を説明する。まず、保持板９の溝４１に固定板１１を挿入する。次いで、貫通孔４７にピン４９を挿入する。これにより保持板９の下面に固定板１１が摺動可能に固定される。
【００１５】
次いで、保持板９と固定板１１とを筐体５内に入れる。このとき、保持板９の穴４３と筐体５の貫通孔５ａが一致するように保持板９と固定板１１とを配置させる。そして貫通孔５ａと穴４３にピン４５を筐体５の外側から挿入する。こうして、天板操作ハンドスイッチ１が組み立てられる。尚、天板操作ハンドスイッチ１は、組み立てた状態で筐体５の上面と固定板１１の指挿入溝６５とが手で握れる大きさとする。
【００１６】
次に、本実施例の天板操作ハンドスイッチ１の作用を図５を用いて説明する。なお、図５は、保持板９と固定板１１との接合部分の断面を示している。
初めに、レール１３０固定された天板操作ハンドスイッチ１を取り外す場合を説明する。
まず操作者は、図５（ａ）に示すようにレール１３０に天板操作ハンドスイッチ１が固定された状態から、固定板１１に設けられた指挿入溝６５に指を挿入し、図５（ｂ）に示すように固定板１１をレール１３０から離す方向に摺動する。これにより、開口ストッパ１１ａが筐体５の下面と非接合になり、保持板９は回動可能となる。
次いで操作者は、筐体５の上面と固定板１１の指挿入溝６５を握り、５（ｃ）に示すように保持板９と固定板１１とをピン４５を回転軸にして回動させる。
【００１７】
次いで操作者は、図５（ｄ）に示すように接合部３の爪３ａ近辺を回転軸にして天板操作ハンドスイッチ１を取り外す方向に回動させながら取り外す。こうして天板ハンドスイッチ１がレール１３０から取り外される。
【００１８】
次に、レール１３０に天板操作ハンドスイッチ１を取り付ける場合を説明する。予め操作者は、固定板１１をレール１３０から離す方向に摺動し、筐体５の上面と固定板１１の指挿入溝６５を握りることにより、接合部３と接合部７とを開口しておく。
この状態で操作者は、図５（ｄ）に示すように接合部３の爪３ａをレール１３０上面の天板１１０側に引掛ける。
【００１９】
次いで操作者は、接合部３の爪３ａを回転軸にして天板操作ハンドスイッチ１をレール１３０に近付ける方向に回動した後、固定板１１の指挿入溝６５から指を離す。これにより、保持板９と固定板１１とは、コイルばね２９によって接合部７がレール１３０と接合するように自動的に回動し、固定板１１はコイルばね５３によって元の位置に戻るように自動的に摺動する。こうして図６（ａ）に示すように天板操作ハンドスイッチがレール１３０に取り付けられる。
【００２０】
また、天板操作ハンドスイッチ１を用いて天板１１０を移動させる場合は、まず、ハンドル２３を下方に押すことにより、天板１１０を固定している天板固定ブレーキを解除する。この状態でハンドル２３を前後左右に動かすことで天板１１０を移動させる。このとき、固定板１１に開口ストッパ１１ａが設けられているため、保持板９と固定板１１とが回動することがないので、天板操作ハンドスイッチ１は滑ること無くレール１３０に固定されている。
【００２１】
このように本実施例の天板操作ハンドスイッチ１をレール１３０から取り外す場合、固定板１１をレール１３０から離す方向に摺動し、保持板９を回動可能にして保持板９と固定板１１とを回動させることにより行われている。また、天板操作ハンドスイッチ１をレール１３０に取り付ける場合、接合部３と接合部７とを開口させた状態にし、レール１３０に接合部３と接合部７とを接合させて挟み込み、開口ストッパ１１ａを筐体５の下面に接合させることにより保持部９を回動不能にさせて天板操作ハンドスイッチ１をレール１３０に固定している。
従って、天板操作ハンドスイッチ１をレール１３０の端部に移動させず、所望の位置で一方の手のみでの着脱が可能となり、着脱の操作性を向上させることが可能となる。
【００２２】
尚、上記の実施の形態例では天板操作ハンドスイッチに適用した場合を例にとって説明したが、本発明はこれに限定されること無く、例えばレール１３０に装着される点滴台、コンソール等にも適用することができる。
【００２３】
【発明の効果】
以上説明したように本発明は、寝台の天板の側面に設けられるレールの所望の位置に着脱することが可能となり、寝台への着脱の操作性を向上させることができるという効果を奏する。
【図面の簡単な説明】
【図１】本発明に係る寝台着脱装置を用いた天板操作ハンドスイッチを示した斜視図である。
【図２】図１に示した天板操作ハンドスイッチの断面を示した図である。
【図３】図１に示した天板操作ハンドスイッチの保持板と固定板を下方から見た斜視図である。
【図４】図１に示した天板操作ハンドスイッチの保持板と固定板を上方から見た斜視図である。
【図５】図１に示した天板操作ハンドスイッチの作用を説明するための保持板と固定板との接合部分の断面図である。
【図６】医療用診断装置に用いられる寝台を示す斜視図である。
【図７】従来の天板操作ハンドスイッチを示す斜視図である。
【符号の説明】
１  天板操作ハンドスイッチ
３  接合部
５  筐体
５ａ  貫通孔
７  接合部
９  保持板
１１  固定板
１１ａ  開口ストッパ
２１  挿通孔
２３  ハンドル
２５  ばね支持部材
２７  把持部
２９，５３  コイルばね
３１  案内ピン
３３，５５  滑り止め
４１  溝
４３  穴
４５，４９  ピン
４７，５１  貫通孔
５１  貫通孔
６１  ガイド溝
６３  ばね受け
６５  指挿入溝
１００  寝台
１１０  天板
１３０  レール
【図１】
0003580912.tif 000002
【図２】
0003580912.tif 000003
【図３】
0003580912.tif 000004
【図４】
0003580912.tif 000005
【図５】
0003580912.tif 000006
【図６】
0003580912.tif 000007
【図７】
0003580912.tif 000008